(57)【要約】【課題】  スクリーンの引出作業を容易に行うことができ、それによって、稼働率の向上を図ることが可能な破砕機を提供すること。【解決手段】  ケーシングと、上記ケーシング内に設置された破砕用回転体と、上記ケーシング内に設置され破砕片を篩にかけるスクリーンと、を具備し、上記破砕用回転体の回転を利用して上記スクリーンを外部に引き出すようにし、それによって、スクリーンの引き出し作業に要する労力の軽減、時間の短縮を図ることができる。【選択図】  図１
2015192978.tif 000002
【特許請求の範囲】
【請求項１】
ケーシングと、上記ケーシング内に設置された破砕用回転体と、上記ケーシング内下部に設置され破砕片を所定の寸法以下に破砕するために開口を設けたスクリーンと、を具備し、
上記破砕用回転体の回転を利用して上記スクリーンを外部に引き出すようにしたことを特徴とする破砕機。
【請求項２】
請求項１記載の破砕機において、
上記破砕用回転体にはラチェットディスクが取り付けられていて、このラチェットディスクを往復式駆動手段より回転駆動することより上記破砕用回転体を回転させるようにしたことを特徴とする破砕機。
【請求項３】
請求項２記載の破砕機において、
バックストッパアームが設置されていて、上記往復式駆動手段が複動したときの上記ラチェットディスクの戻りを規制するようにしたこと特徴とする破砕機。
【請求項４】
請求項１〜請求項３の何れかに記載の破砕機において、
上記スクリーンにスクリーン引出用治具を取り付け、該スクリーン引出用治具に上記破砕回転体を当ててスクリーンを引き出すようにしたことを特徴とする破砕機。
【請求項５】
請求項４記載の破砕機において、
上記破砕用回転体が鋭利な切刃を使用するタイプのものである場合、上記スクリーン引出用治具は上記切刃に直接接触しないように構成されたものであることを特徴とする破砕機。
【発明の詳細な説明】
【技術分野】
【０００１】
本願発明は、破砕機に係り、特に、スクリーンの引出作業を容易に行うことができるように工夫したものに関する。
【背景技術】
【０００２】
破砕機の構成を開示するものとして、例えば、本件特許出願人による特許文献１がある。特許文献１に記載されている破砕機は概略次のような構成をなしている。
まず、ケーシングがあり、このケーシング内には主軸が回転可能に設置されていて、この主軸には、ハンマを備えた複数枚の円板が取り付けられている。一方、上記ケーシング側には受刃が取り付けられている。又、ケーシング内であって上記主軸の下方にはスクリーンが設置されている。
【０００３】
そして、駆動モータによって上記主軸を回転させ、その状態で、ケーシング内に被破砕物を導入する。導入された被破砕物は、回転する主軸に取り付けられたハンマと上記受刃との引きちぎり作用によって適度な大きさに破砕される。破砕された破砕片はスクリーン上に落下する。スクリーン上に落下した破砕片は、上記ハンマの押し付け作用によってスクリーンに押し付けられ、その一部がスクリーンの穴を通ってスクリーンの下方に落下していく。
【０００４】
スクリーン下方に落下した破砕片は、例えば、ブロアによって吸引・搬送されて処理される。又、スクリーンを通過しなかった破砕片の内軽いものは、吸引手段によって吸引・除去される。その他の破砕片は、再度、上記ハンマと受刃による引きちぎり作用に供せられる。
【先行技術文献】
【特許文献】
【０００５】
【特許文献１】特開２０００−３４２９８５号公報
【発明の概要】
【発明が解決しようとする課題】
【０００６】
上記従来の構成によると次のような問題があった。
すなわち、スクリーン上には様々な種類の破砕片が落下し、その一部がそこを通過していく。その為、経年変化により目詰まり、過大な摩耗、変形等の状態が発生し、それらの状態を放置すると、破砕機としての破砕性能が低下してしまうことになる。
そこで、定期的に、スクリーンをケーシング内から引き出して、目詰まり状態を清掃し解消する作業や、摩耗や変形したスクリーン開口穴を再生すべくスクリーン交換作業が行われる。
ところが、長期間使用されたスクリーンはケーシングに強固に固着された状態になっており、これをケーシングから引き出すことは極めて困難な作業であった。具体的には、長尺の棒体を適宜の状態で差し込んでそれをハンマで叩くことにより引き出す、ワイヤを連結して機械で引き出す、主軸側とスクリーンとの間に別途部材を介在させ主軸を回転させることにより引き出す、といったような作業が必要になる。
そのため、スクリーン引出作業に多くの労力と長い時間を要してしまい、それによって、破砕機の稼働率が低下してしまうという問題があった。
【０００７】
本発明はこのような点に基づいてなされたものでその目的とするところは、スクリーンの引出作業を容易に行うことができ、それによって、稼働率の向上を図ることが可能な破砕機を提供することにある。
【課題を解決するための手段】
【０００８】
上記目的を達成するべく本願発明の請求項１による破砕機は、ケーシングと、上記ケーシング内に設置された破砕用回転体と、上記ケーシング内下部に設置され破砕片を所定の寸法以下に破砕するために開口を設けたスクリーンと、を具備し、上記破砕用回転体の回転を利用して上記スクリーンを外部に引き出すようにしたことを特徴とするものである。
又、請求項２による破砕機は、請求項１記載の破砕機において、上記破砕用回転体にはラチェットディスクが取り付けられていて、このラチェットディスクを往復式駆動手段より回転駆動することより上記破砕用回転体を回転させるようにしたことを特徴とするものである。
又、請求項３による破砕機は、請求項２記載の破砕機において、バックストッパアームが設置されていて、上記往復式駆動手段が複動したときの上記ラチェットディスクの戻りを規制するようにしたこと特徴とするものである。
又、請求項４による破砕機は、請求項１〜請求項３の何れかに記載の破砕機において、上記スクリーンにスクリーン引出用治具を取り付け、該スクリーン引出用治具に上記破砕回転体を当ててスクリーンを引き出すようにしたことを特徴とするものである。
又、請求項５による破砕機は、請求項４記載の破砕機において、上記破砕用回転体が鋭利な切刃を使用するタイプのものである場合、上記スクリーン引出用治具は上記切刃に直接接触しないように構成されたものであることを特徴とするものである。
【発明の効果】
【０００９】
以上述べたように本発明の請求項1による破砕機によると、ケーシングと、上記ケーシング内に設置された破砕用回転体と、上記ケーシング内下部に設置され破砕片を所定の寸法以下に破砕するために開口を設けたスクリーンと、を具備し、上記破砕用回転体の回転を利用して上記スクリーンを外部に引き出すように構成したので、煩雑な作業を要することなく、スクリーンを容易に引き出すことができ、スクリーンの引出作業に要する労力の軽減、時間の短縮を図ることができる。
又、請求項２による破砕機によると、請求項１記載の破砕機において、上記破砕用回転体にはラチェットディスクが取り付けられていて、このラチェットディスクを往復式駆動手段より回転駆動することより上記破砕用回転体を回転させるようにしたので、比較的簡単な構成で、スクリーンをン確実に引き出すことができる。
又、請求項３による破砕機によると、請求項２記載の破砕機において、バックストッパアームが設置されていて、上記往復式駆動手段が複動したときの上記ラチェットディスクの戻りを規制するようにしたので、往復動式駆動手段の複動時におけるラチェットディスクの不用意な戻りを規制することができる。
又、請求項４による破砕機によると、請求項１〜請求項３の何れかに記載の破砕機において、上記スクリーンにスクリーン引出用治具を取り付け、該スクリーン引出用治具に上記破砕回転体を当ててスクリーンを引き出すようにしたので、その治具の形状を様々工夫することにより、様々な構成の破砕用回転体に対応することができる。
又、請求項５による破砕機によると、上記破砕用回転体が鋭利な切刃を使用するタイプのものである場合、上記スクリーン引出用治具は上記切刃に直接接触しないように構成されているので、切刃の不用意な損傷を防止した上で、スクリーンの確実な引き出しを行うことができる。
【図面の簡単な説明】
【００１０】
【図１】本発明の第１の実施の形態を示す図で、破砕機の要部の構成を示す斜視図である。
【図２】本発明の第１の実施の形態を示す図で、破砕機の縦断面図である。
【図３】本発明の第１の実施の形態を示す図で、図２のＩＩＩ−ＩＩＩ断面図である。
【図４】本発明の第１の実施の形態を示す図で、図１のＩＶ−ＩＶ断面図である。
【図５】本発明の第１の実施の形態を示す図で、図５（ａ）はスクリーン引出用治具の構成を示す斜視図、図５（ｂ）はスクリーン引出用治具の構成を示す正面図、図５（ｃ）はスクリーン引出用治具の構成を示す側面図である。
【図６】本発明の第２の実施の形態を示す図で、図６（ａ）は破砕機の側面図、図６（ｂ）は図６（ａ）の要部の構成を拡大して示す拡大図である。
【図７】本発明の第３の実施の形態を示す図で、図７（ａ）は破砕機の側面図、図７（ｂ）は図７（ａ）のｂ−ｂ断面図である。
【発明を実施するための形態】
【００１１】
以下、図１乃至図５を参照して本発明の第１の実施の形態を説明する。まず、図２に示すように、ケーシング１があり、このケーシング１の上部には、図３にも示すように、横断面形状が半円形をなす開閉蓋３がヒンジ４を介して開閉自在に設置されている。図３では、開閉蓋３が開放された状態にあり、機能時には、この開閉蓋３が閉じられることになる。又、開閉蓋３が閉じられた状態で、図３中左側には、ケーシング１と開閉蓋３との間に空間が形成され、その空間が被破砕物導入口５となる。被破砕物は、図３中矢印ａで示す方向から、例えば、ベルトコンベア或いはローラコンベアで搬送され、上記被破砕物導入口５を介して、ケーシング１内に導入される。
【００１２】
図２に示すように、上記ケーシング１内には主軸７が回転可能な状態で設置されていて、この主軸７の両端は軸受９、１１によって回転可能に支持されている。上記軸受９、１１は上記ケーシング１に設置されている。上記主軸７の一端側（図２中右端）にはプーリ１３が固着されている。このプーリ１３の近傍には図示しない駆動モータが設置されていて、この駆動モータの回転軸にも図示しないプーリが固着されている。これら図示しないプーリとプーリ１３にはベルト１５（図２中仮想線で示す）が巻回されている。よって、上記駆動モータが回転することにより駆動モータ側のプーリ、ベルト１５、プーリ１３を介して上記主軸７が回転することになる。
【００１３】
上記主軸７には複数枚（この実施の形態の場合には５枚）の円板１７が取付・固定されている。上記５枚の円板１７を軸方向から挟むように固定用端板１９、２１が設置されていて、上記５枚の円板１７はこれら固定用端板１９、２１によって挟持・固定されている。
【００１４】
上記各円板１７の外周部には、図１、図３に示すように、１２０°間隔の均等３箇所において、切刃取付部２３が放射方向に突出・形成されている。そして、これら切刃取付部２３には切刃２５が２本の固定ネジ２７によって取付・固定されている。又、上記５枚の各円板１７は、上記切刃取付部２３の位置が所定ピッチずつずれるように積層・固定されている。その結果、図３に示すように、隣接・配置されている円板１７、１７の上記切刃取付部２３の位置が重合することはない。
【００１５】
一方、図３に示すに、上記ケーシング１の内周面であって、被破砕物導入口５の下部位置には受刃２９が設置されている。上記５枚の円板１７に取り付けられた切刃２５と上記受刃２９とのせん断作用によって、被破砕物がせん断・破砕されるものである。
【００１６】
上記ケーシング１内であって上記５枚の円板１７の外周側下方位置にはスクリーン３１が着脱可能に設置されている。このスクリーン３１は所定の大きさのメッシュ状に構成されていて、上記切刃２５と受刃２９とのせん断作用によってせん断・破砕された破砕片を受け、その内所定の大きさ以下のものを下方に通過・落下させるものである。
【００１７】
次に、上記スクリーン３１を引き出すための構成を説明する。
まず、図１乃至図３に示すように、主軸７の他端側（図１中右端、図２中左端）にはラチェットディスク３３が固着されている。このラチェットディスク３３は、図１、図３、図４に示すように、複数個（この実施の形態の場合には６個）のラチェット爪３５を備えている。
【００１８】
又、図１、図４に示すように、往復式駆動手段としての油圧シリンダ機構３７が設置されている。この油圧シリンダ機構３７は、シリンダ３９と、このシリンダ３９に対して出没可能に設置されたピストンロッド４１と、このピストンロッド４１に取り付けられたラチェット爪駆動用治具４３と、から構成されている。このラチェット爪駆動用治具４３は先端にピン４４を備えていて、このピン４４を上記ラチェットディスク３３のラチェット爪３５に当接させるものである。
【００１９】
そして、上記油圧シリンダ機構３７を駆動することにより上記ピストンロッド４１を、図４中矢印ｄで示すように、往復動させ、それによって、ラチェット爪駆動用治具４３のピン４４を介してラチェット爪３５ひいてはラチェットディスク３３を、図４中反時計方向に回転させる。このラチェットディスク３３の回転より既に説明した主軸７が回転される。
【００２０】
又、上記ラチェットディスク３３の近傍にはバックストッパアーム４５が設置されている。このバックストッパアーム４５は、ラチェットディスク３３の戻り方向（図４中時計方向）への回転を規制するためのものであり、基部４６に対してピン４４を介して回動可能に設置されている。又、バックストッパアーム４５はその横断面形状がＵ字形状をなすものであり、先端にはピン４８が取り付けられている。そして、上記ピン４８が上記ラチェットディスク３３のラチェット爪３５に係合し、それによって、ラチェットディスク３３の戻り方向への回転を規制するようにしいる。
又、上記バックストッパアーム４５と基部４６との間にはコイルスプリング５０が設置されている。又、上記バックストッパアーム４５は、機能時には図４中実線で示すような位置にあり、ピン４８が上記ラチェットディスク３３のラチェット爪３５に係合し、上記ラチェットディスク３３の戻り方向への回転を規制する。この状態では、上記バックストッパアーム４５はコイルスプリング５０によって図４中時計方向に回動・付勢されている。これに対して、非機能時には図４中仮想線で示すような待機位置にある。この状態では、上記バックストッパアーム４５はコイルスプリング５０によって図４中反時計方向に回動・付勢されている。
【００２１】
又、スクリーン３１の先端部にはスクリーン引出用治具５１、５１がそれぞれ取付・固定置される。上記スクリーン引出用治具５１は、図５に示すような構成をなしている。まず、取付座５３があり、スクリーン引出用治具５１はこの取付座５３を介して、図示しない固定ボルトによって、上記スクリーン３１の先端鍔部３１ａに着脱可能に取付・固定される。
【００２２】
上記取付座５３にはアーム取付部５５が設けられていて、このアーム取付部５５には一対のアーム５７、５７が軸５９を介して取付・固定されている。上記アーム５７、５７間には別の軸６１が設置されている。上記アーム５７、５７の先端部には係合部６３、６３が形成されている。これら係合部６３、６３に既に説明した切刃２５が係合することになる。又、上記係合部６３、６３の奥には、切刃先端収容凹部６４、６４が設けられている。すなわち、上記切刃２５は、上記係合部６３、６３に係合することになるが、その際、切刃２５の先端部２５ａ（図５（ｃ）に示す）は、上記切刃先端収容凹部６４、６４内に非接触の状態で収容される。それによって、切刃２５の先端部２５ａの損傷を防止するようにしている。
【００２３】
以上の構成を基にその作用を説明する。
まず、破砕機としての一般的な作用から説明する。まず、駆動モータの駆動により、主軸７及び複数枚の円板１７が、図３中反時計方向（矢印ｂ方向）に回転される。一方、被破砕物が、図３中矢印ａで示すように、被破砕物導入口５を介してケーシング１内に導入される。導入された被破砕物は、回転する円板１７に取り付けられている複数の切刃２５と、ケーシング１の内周面に設置されている受刃２９とのせん断作用によりせん断・破砕される。せん断・破砕された破砕片はスクリーン３１上に落下する。
【００２４】
スクリーン３１上に落下した破砕片は、上記複数の切刃２５によって、スクリーン３１側に押し付けられ、その結果、スクリーン３１のメッシュより小さなものはスクリーン３１を通過して下方に落下する。落下した破砕片は、例えば、吸引又はコンベアにて排出される。
これに対して、スクリーン３１を通過しなかった破砕片は、主軸７及び円板１７の回転によりケーシング１内を回って被破砕物導入口５部分に戻され、再度、切刃２５と受刃２９とによるせん断に供せられる。
【００２５】
次に、スクリーン３１の引出作業について説明する。
まず、図３に示すように、開閉扉３を開放する（或いは撤去する。）。次に、図１に示すように、スクリーン３１の先端鍔部３１ａにスクリーン引出用治具５１、５１を取り付ける。又、バックストッパアーム４５が、図４中実線で示すように、機能位置に位置させる。次に、油圧シリンダ機構３７を駆動して、ピストンロッド４１を往復動させ、ラチェットディスク３３を図４中反時計方向に回転させる。
【００２６】
上記ラチェットディスク３３の回転より主軸７及び円板１７が、図４中矢印ｃで示すように、同方向に回転する。この円板１７の回転により、切刃２５が上記スクリーン引出用治具５１、５１に係合し、スクリーン３１を同方向に回転させる。それによって、図４に示すように、スクリーン３１は所定のセット位置から上方に引き出されることになる。引き出されたスクリーン３１にはオーバーホールが施され、再生された後、再度、所定のセット位置にセットされることになる。
尚、新しいスクリーン３１と交換されることもある。
【００２７】
上記ラチェットディスク３３の回転に関して詳しく説明すると、油圧シリンダ機構３７が駆動して、ピストンロッド４１が往動することにより、ラチェット爪駆動用治具４３及びラチェット爪３５を介して、ラチェットディスク３３が、バックストッパアーム４５を押し退けながら、図４中反時計方向に所定角度だけ回転する。次に、ピストンロッド４１が復動することになるが、その際には、バックストッパアーム４５のピン４８がラチェット爪３５に係合し、それによって、ラチェットディスク３３の戻り方向への回転は規制される。
以下、同様の作用が繰り返され、その結果、上記したように、スクリーン３１の引出作業が行われることになる。
【００２８】
又、円板１７の回転によりスクリーン３１が引き出される際、円板１７の切刃２５の先端部は、図３、図４に示すように、スクリーン引出用治具５１、５１の切刃先端収容凹部６４、６４内に非接触の状態で収容されている。よって、切刃２５の先端部が不用意に損傷するようなこともない。
【００２９】
以上本実施の形態によると次のような効果を奏することができる。
まず、主軸７と円板１７を油圧シリンダ機構２３によって回転させることによりスクリーン３１を引き出すようにしているので、スクリーン３１を容易に引き出すことができる。すなわち、従来のように、煩雑で面倒な作業を行う必要はなく、スクリーン３１にスクリーン引出用治具５１、５１を取り付けて油圧シリンダ機構２３を駆動するだけで、スクリーン３１を引き出すことができ、スクリーン３１の引出作業に要する労力の軽減と時間の短縮を図ることができる。
又、上記スクリーン引出用治具５１は切刃２５の先端部２５ａを不用意に損傷させないような構成になっているので、切刃２５の健全性の維持を図ることができる。
又、上記スクリーン引出用治具５１は、主軸７の軸方向に２箇所にわたって設置されるので、力を左右方向にバランス良く作用させることができ、それによっても、スクリーン３１の引出作業の容易化を図ることができる。
【００３０】
次に、図６を参照して本発明の第２の実施の形態を説明する。前記第１の実施の形態の場合には、切刃タイプの破砕機を例に挙げて説明したが、この第２の実施の形態の場合には、固定ハンマタイプの破砕機を例に挙げて説明するものである。基本的な構成は、前記第１の実施の形態の場合と同じであるが、スクリーン引出用治具の構成が異なるものである。
【００３１】
まず、破砕機の構成をみると、図６（ａ）に示すように、円板１７には１８０°対抗する位置にハンマ取付部１２３、１２３が放射方向に突出・形成されていて、これらハンマ取付部１２３、１２３には、ハンマ１２５、１２５がそれぞれ固定されている。
【００３２】
又、この第２の実施の形態の場合のスクリーン引出用治具１５１は次のような構成になっている。すなわち、スクリーン引出用治具１５１は、スクリーン３１の先端に着脱可能に取り付けられている。このスクリーン引出用治具１５１は、治具本体１５３と、この治具本体１５３に取り付けられた板体１５７とから構成されている。上記治具本体１５３の図６（ｂ）中右端は鉤状に屈曲されていて係合部１５５となっている。この係合部１５５をスクリーン３１の上端鍔部３１ａに係合させ、その状態で、複数本の固定ボルト１５９をねじ込む。それによって、スクリーン取出用治具１５１がスクリーン３１の先端に取り付けられることになる。又、治具本体１５３と板体１５７とによって係合部１６１が形成されている。
【００３３】
そして、図６（ａ）に示すように、上記係合部１６１に、上記ハンマ１２５が係合することになる。
尚、その他の構成は前記第１の実施の形態の場合と同様であり、図中同一部分には同一符号を付して示しその説明は省略する。
【００３４】
破砕機としての作用、スクリーン３１を引き出す場合の作用は、基本的に前記第１の実施の形態の場合と同じである。
よって、前記第１の実施の形態の場合と同様の効果を奏することができる。
【００３５】
次に、図７を参照して本発明の第３の実施の形態を説明する。前記第２の実施の形態の場合には、固定ハンマタイプの破砕機を例に挙げて説明したが、この第３の実施の形態の場合には、フリーハンマタイプの破砕機を例に挙げて説明するものである。
【００３６】
まず、図７（ａ）に示すように、円板１７には複数個（この実施の形態の場合には６個）フリーハンマ２２５が取り付けられている。これらフリーハンマ２２５は、軸２２３を介して、上記円板１７に回転可能に取り付けられている。
【００３７】
一方、この第３の実施の形態の場合のスクリーン引出用治具２５１は、次のような構成をなしている。まず、着座部２５３があり、スクリーン引出用治具２５１は、この着座部２５３を介して、複数本の固定ボルト２５５によって、スクリーン３１の先端鍔部３１ａに取付・固定されている。
【００３８】
上記着座部２５３にはアーム２５７、２５７が取り付けられていて、これらアーム２５７、２５７の先端部は鉤状に屈曲されており、その屈曲部が既に説明した軸２０３に係合されることになる。
尚、その他の構成は前記第１、第２の実施の形態の場合と同様であり、図中同一部分には同一符号を付して示しその説明は省略する。
【００３９】
破砕機としての作用、スクリーン３１を引き出す場合の作用は、基本的に前記第１の実施の形態の場合と同じである。
よって、前記第１、第２の実施の形態の場合と同様の効果を奏することができる。
【００４０】
尚、本発明は前記第１、第２、第３の実施の形態に限定されるものではない。
まず、スクリーン引出用治具の構成については図示したものに限定されず様々な構成のものが想定され、適用される破砕機のハンマや切刃の形状に応じて適宜決定される。
又、スクリーン引出用治具の個数についてもこれを特に限定するものではない。
往復動式駆動手段としては、油圧シリンダ機構以外に、エアーシリンダー機構、等でもよい。
又、往復動式駆動手段以外にも、ラック・ギヤ方式、ネジ・ナット方式、等でもよい。
又、破砕用回転体の構成としても図示したものに限定されない。
その他、図示した構成はあくまで一例であり、様々な変形が想定される。
【産業上の利用可能性】
【００４１】
本願発明は、破砕機に係り、特に、スクリーンの引出作業を容易に行うことができるように工夫したものに関し、例えば、切刃タイプ、固定ハンマタイプ、フリーハンマタイプの破砕機に好適である。
【符号の説明】
【００４２】
１  ケーシング
７  主軸（破砕用回転体の一部）
１７  円板（破砕用回転体の一部）
２３  切刃取付部（破砕用回転体の一部）
２５  切刃（破砕用回転体の一部）
３１  スクリーン
３７  油圧シリンダ機構（往復動式駆動手段）
４５  バックストッパアーム
５１  スクリーン引出用治具
【図１】
2015192978.tif 000003
【図２】
2015192978.tif 000004
【図３】
2015192978.tif 000005
【図４】
2015192978.tif 000006
【図５】
2015192978.tif 000007
【図６】
2015192978.tif 000008
【図７】
2015192978.tif 000009